(57)【特許請求の範囲】
【請求項１】
他のコネクタにおける他の接続端子と接続される接続端子と、
固定接点と、
可動板部の一方の端部に設けられた可動接点と、
前記可動板部に接続された可動バネと、
操作により前記可動接点と前記固定接点とのオン状態とオフ状態とを切り替える波型スイッチと、
前記波型スイッチのオフ状態からオン状態への操作に応じて、前記可動接点と前記固定接点とを接触させる方向に移動する押下部と、
一端が前記波型スイッチに接続され、他端が前記押下部に接続されるリンクと、
前記波型スイッチを前記オフ状態となるように付勢するバネと、
を備えることを特徴とするコネクタ。
【請求項２】
前記波型スイッチがオフ状態からオン状態に操作された際に、前記他のコネクタが接続される方向と交差する方向に突出して、前記コネクタに接続された他のコネクタと係合するフックを更に備えることを特徴とする請求項１に記載のコネクタ。
【請求項３】
前記コネクタに接続されている前記他のコネクタによって操作され、前記他のコネクタが接続されていない状態で、前記波型スイッチのオフ状態からオン状態への操作を規制する突起部を更に備えることを特徴とする請求項１または２に記載のコネクタ。
【請求項４】
前記波型スイッチを操作するために加える力の方向と、前記他のコネクタが接続される方向とは略平行であることを特徴とする請求項１に記載のコネクタ。
【請求項５】
前記可動バネは、スナップアクション機能を有するものであることを特徴とする請求項１に記載のコネクタ。
【請求項６】
前記固定接点及び前記可動接点を各々２つ有しており、
前記波型スイッチの操作に応じて動作可能な押下機構部を備え、
前記押下機構部は、一方の可動バネに接触する第１の接触部と、他方の可動バネに接触する第２の接触部とを備え、
前記波型スイッチがオフ状態からオン状態に操作された際に、前記第１の接触部及び第２の接触部が、それぞれに対応する可動バネに力を加えるように前記押下機構部が動作することを特徴とする請求項１に記載のコネクタ。
【発明の詳細な説明】
【技術分野】
【０００１】
本発明は、コネクタに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
ところで、電気機器に供給される電力に関しては、電圧が高いと人体に影響を及ぼす場合や、電子部品の動作に影響を与える場合がある。このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００５】
【特許文献１】特開平５−８２２０８号公報
【特許文献２】特開２００３−３１３０１号公報
【発明の概要】
【発明が解決しようとする課題】
【０００６】
また、スイッチを組み込んだ構成のコネクタでは、電源から供給される電圧が１００Ｖ以上の場合、または、高電圧で直流である場合、現在使用されているスイッチをそのまま用いることはできない。例えば、電源から供給される電力が直流４００Ｖの場合では、現在の交流１００Ｖに用いられているスイッチでは、十分な安全性や信頼性が確保されていないため、そのまま使用することは危険である。
【０００７】
よって、本発明は、上記に鑑みてなされたものであり、高電圧の電力を安全に供給することが可能なコネクタを提供することを目的とするものであり、更には、現状の商用電源の電圧よりも高い電圧の電源、または、直流電源に対応したスイッチであって、安全性及び信頼性の高いスイッチを提供することを目的とするものである。
【課題を解決するための手段】
【０００８】
本発明は、他のコネクタにおける他の接続端子と接続される接続端子と、固定接点と、可動板部の一方の端部に設けられた可動接点と、前記可動板部に接続された可動バネと、操作により前記可動接点と前記固定接点とのオン状態とオフ状態とを切り替える波型スイッチと、前記波型スイッチのオフ状態からオン状態への操作に応じて、前記可動接点と前記固定接点とを接触させる方向に移動する押下部と、一端が前記波型スイッチに接続され、他端が前記押下部に接続されるリンクと、前記波型スイッチを前記オフ状態となるように付勢するバネと、を備えることを特徴とする。
【０００９】
また、本発明は、前記波型スイッチがオフ状態からオン状態に操作された際に、前記他のコネクタが接続される方向と交差する方向に突出して、前記コネクタに接続された他のコネクタと係合するフックを更に備えることを特徴とする。
また、本発明は、前記コネクタに接続されている前記他のコネクタによって操作され、前記他のコネクタが接続されていない状態で、前記波型スイッチのオフ状態からオン状態への操作を規制する突起部を更に備えることを特徴とする。
【００１０】
また、本発明は、前記波型スイッチを操作するために加える力の方向と、前記他のコネクタが接続される方向とは略平行であることを特徴とする。
【００１１】
また、本発明は、前記可動バネは、スナップアクション機能を有するものであることを特徴とする。
【００１２】
また、本発明は、前記固定接点または前記可動接点のうち他方は、電源に接続されていることを特徴とする。
【００１３】
また、本発明は、前記固定接点及び前記可動接点を各々２つ有しており、前記波型スイッチの操作に応じて動作可能な押下機構部を備え、前記押下機構部は、一方の可動バネに接触する第１の接触部と、他方の可動バネに接触する第２の接触部とを備え、前記波型スイッチがオフ状態からオン状態に操作された際に、前記第１の接触部及び第２の接触部が、それぞれに対応する可動バネに力を加えるように前記押下機構部が動作することを特徴とする。
【００１４】
また、本発明は、前記他のコネクタにはコネクタ接続開口部が設けられており、前記オン状態では、前記コネクタ接続開口部にフックが入り込んでいることを特徴とする。
【発明の効果】
【００１５】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１６】
【図１】第１の実施の形態に用いられるプラグコネクタの斜視図
【図２】第１の実施の形態に用いられるプラグコネクタの上面図
【図３】第１の実施の形態に用いられるプラグコネクタの側面図
【図４】第１の実施の形態に用いられるプラグコネクタの底面図
【図５】第１の実施の形態に用いられるプラグコネクタの正面図
【図６】第１の実施の形態におけるコネクタの斜視図
【図７】第１の実施の形態におけるコネクタの正面図
【図８】第１の実施の形態におけるコネクタの側面図
【図９】第１の実施の形態におけるコネクタの内部構造の斜視図（１）
【図１０】第１の実施の形態におけるコネクタの内部構造の斜視図（２）
【図１１】第１の実施の形態におけるコネクタの内部構造の斜視図（３）
【図１２】第１の実施の形態におけるコネクタのオフ状態の内部構造の斜視図
【図１３】第１の実施の形態におけるコネクタのオン状態の内部構造の斜視図
【図１４】スナップアクションバネの説明図（１）
【図１５】スナップアクションバネの説明図（２）
【図１６】スナップアクションバネの説明図（３）
【図１７】第１の実施の形態におけるコネクタのオフ状態の斜視図
【図１８】第１の実施の形態におけるコネクタのオフ状態の断面図（１）
【図１９】第１の実施の形態におけるコネクタのオフ状態の断面図（２）
【図２０】第１の実施の形態におけるコネクタのオン状態の斜視図
【図２１】第１の実施の形態におけるコネクタのオン状態の断面図（１）
【図２２】第１の実施の形態におけるコネクタのオン状態の断面図（２）
【図２３】波型スイッチ操作部の説明図（１）
【図２４】波型スイッチ操作部の説明図（２）
【図２５】波型スイッチ操作部の説明図（３）
【図２６】波型スイッチ操作部の説明図（４）
【図２７】波型スイッチ操作部の説明図（５）
【図２８】第２の実施の形態におけるコネクタの斜視図
【図２９】第２の実施の形態におけるコネクタの正面図
【図３０】第２の実施の形態におけるコネクタの側面図
【図３１】第２の実施の形態におけるコネクタの内部構造の斜視図（１）
【図３２】第２の実施の形態におけるコネクタの内部構造の斜視図（２）
【図３３】第２の実施の形態におけるコネクタの内部構造の斜視図（３）
【図３４】第２の実施の形態におけるコネクタのオフ状態の内部構造の斜視図
【図３５】第２の実施の形態におけるコネクタのオン状態の内部構造の斜視図
【図３６】第２の実施の形態におけるコネクタのオフ状態の断面図
【図３７】第２の実施の形態におけるコネクタのオフ状態の側面図
【図３８】第２の実施の形態におけるコネクタのオン状態の断面図
【図３９】第２の実施の形態におけるコネクタのオン状態の側面図
【図４０】プッシュスイッチ操作部周辺のオフ状態の要部斜視図
【図４１】プッシュスイッチ操作部周辺のオフ状態の要部側面図
【図４２】プッシュスイッチ操作部周辺のオフ状態の要部断面図
【図４３】プッシュスイッチ操作部周辺のオン状態の要部斜視図
【図４４】プッシュスイッチ操作部周辺のオン状態の要部側面図
【図４５】プッシュスイッチ操作部周辺のオン状態の要部断面図
【発明を実施するための形態】
【００１７】
本発明を実施するための形態について、以下に説明する。尚、同じ部材等については、同一の符号を付して説明を省略する。
【００１８】
〔第１の実施の形態〕
（コネクタの構造）
第１の実施の形態におけるコネクタの構造について説明する。本実施の形態におけるコネクタは、図１から図５に示される他のコネクタであるプラグコネクタと接続されるものであって、図６から図８に示される構造のジャックコネクタとなるコネクタである。尚、図１から図５に示されるプラグコネクタと、図６から図８に示されるジャックコネクタに相当するコネクタとをあわせてコネクタと称する場合もある。
【００１９】
最初に、図１から図５に基づきプラグコネクタ２００について説明する。尚、図１は、プラグコネクタ２００の斜視図であり、図２は上面図であり、図３は側面図であり、図４は底面図であり、図５は正面図である。このプラグコネクタ２００は、絶縁体等により形成されたカバー２１０と、他の接続端子である３本のプラグ端子２２１、２２２、２２３を有しており、３本のプラグ端子２２１、２２２、２２３が設けられている側と反対側には、電源ケーブル２３０が接続されている。プラグ端子２２１はＧＮＤ端子であり、プラグ端子２２２、２２３よりも長く形成されている。プラグ端子２２２、２２３は、電気的に接続されることにより電力が供給される端子である。尚、このプラグコネクタ２００には、プラグ端子２２１、２２２、２２３の設けられている側のカバー２１０部分において、プラグ端子２２１、２２２、２２３の一部を覆うような形状で形成された保護部２１１が設けられており、更には、本実施の形態におけるコネクタと接続された後に、コネクタ接続がはずれることのないようにコネクタ接続開口部２１２が設けられている。
【００２０】
（コネクタの構造）
次に、図６から図８に基づき本実施の形態におけるコネクタについて説明する。本実施の形態におけるコネクタは、スイッチを有しており、本実施の形態におけるコネクタとプラグコネクタ２００とが嵌合されて接続された状態で、スイッチをオン状態とすることにより、本実施の形態におけるコネクタ及びプラグコネクタ２００を介し電力を供給することができるものである。尚、図６は、本実施の形態におけるコネクタの斜視図であり、図７は正面図であり、図８は側面図である。
【００２１】
本実施の形態におけるコネクタは、全体が筐体５０に覆われており、プラグコネクタ２００におけるプラグ端子２２１、２２２、２２３が挿入されるジャック開口部２１、２２、２３と、プラグコネクタ２００における保護部２１１が挿入される溝部３１と、プラグコネクタ２００と本実施の形態におけるコネクタとが接続されている状態で、電力を供給するか否かの制御を行なうための波型スイッチ操作部４０が設けられている。波型スイッチ操作部４０の上面は波型に形成されており、どちらか一方の端部の近傍を押すと他方の端部が飛び出し出っ張るように形成されている。このように出っ張っている端部の近傍を押下することにより、オン状態またはオフ状態とすることができ、この波型スイッチ操作部４０における操作により、コネクタを介し電力を供給するか否かの制御を行なうことができる。
【００２２】
波型スイッチ操作部４０は、プラグコネクタ２００が接続される面と同じ面に設置されており、プラグコネクタ２００が差込まれる方向と、波型スイッチ操作部４０の操作方向、即ち、押下する方向とは略同一方向である。これにより、波型スイッチ操作部４０をオフにする操作とプラグコネクタ２００を抜き取る操作とを迅速に、かつ、容易に行なうことができる。
【００２３】
また、本実施の形態におけるコネクタは、図９から図１１に示すように、ジャック開口部２１、２２、２３の内部には、プラグ端子２２１、２２２、２２３と電気的に接続されるジャック端子６１、６２、６３が設けられている。また、波型スイッチ操作部４０に連動して動作するフック７０が設けられており、波型スイッチ操作部４０がオン状態となる場合には、フック７０は溝部３１側に出っ張り、プラグコネクタ２００におけるコネクタ接続開口部２１２内に入り込む。これにより、オン状態では、本実施の形態におけるコネクタとプラグコネクタ２００との接続がはずれることはない。また、波型スイッチ操作部４０をオフ状態とした場合には、フック７０の先端は、波型スイッチ操作部４０側に引っ込み、プラグコネクタ２００におけるコネクタ接続開口部２１２内にはフック７０は存在していなくなるため、本実施の形態におけるコネクタよりプラグコネクタ２００を取り外すことができる。このように、本実施の形態におけるコネクタでは、電力が供給されている状態において、本実施の形態におけるコネクタからプラグコネクタ２００がはずれることを防ぐことができる。
【００２４】
また、本実施の形態におけるコネクタには、ディテクトスイッチとなる突起部７１が設けられている。この突起部７１は、本実施の形態におけるコネクタとプラグコネクタ２００とが接続されているか否か、即ち、本実施の形態におけるコネクタとプラグコネクタ２００とが嵌合している状態にあるのか否かを検出する。
【００２５】
本実施の形態におけるコネクタとプラグコネクタ２００とが嵌合していない状態では、突起部７１は、溝部３１内に一部入り込み出っ張った状態となっている。この状態では、波型スイッチ操作部４０は固定されるためオン状態となることはない。一方、プラグコネクタ２００と本実施の形態におけるコネクタとが嵌合することにより、溝部３１内にプラグコネクタ２００の保護部２１１が入り込み、保護部２１１により溝部３１内に一部が入り込んでいた突起部７１が波型スイッチ操作部４０側に押されて移動する。このように突起部７１が押されることにより、波型スイッチ操作部４０におけるオフ状態の固定が解除され、波型スイッチ操作部４０をオン状態にすることが可能となる。
【００２６】
この後、波型スイッチ操作部４０をオフ状態とした場合には、本実施の形態におけるコネクタよりプラグコネクタ２００を取り外すことができ、プラグコネクタ２００を取り外すことにより、突起部７１はバネ７２の復元力により、溝部３１の内部に再び一部が入り込む。これにより、波型スイッチ操作部４０はオフ状態で固定されるためオン状態となることはない。
【００２７】
このように、本実施の形態におけるコネクタとプラグコネクタ２００とが接続されている場合には、波型スイッチ操作部４０を押下することによりオン状態とすることはできるが、本実施の形態におけるコネクタとプラグコネクタ２００とが接続されていない場合には、波型スイッチ操作部４０におけるオフ状態が維持されるため、いくら波型スイッチ操作部４０を押下してもオン状態となることはない。
【００２８】
（オン、オフ動作）
次に、図１２及び図１３に基づき、本実施の形態におけるコネクタのオン、オフ動作について説明する。本実施の形態におけるコネクタは、２つの固定部１１０ａ及び１１０ｂと２つの可動部１２０ａ及び１２０ｂとを有している。固定部１１０ａと可動部１２０ａにより一つのスイッチを構成しており、固定部１１０ｂと可動部１２０ｂにより一つのスイッチを構成している。よって、本実施の形態におけるコネクタでは、あわせて二つのスイッチを有している。
【００２９】
固定部１１０ａは、固定接点１１１ａと接続部１１２ａとを有しており、接続部１１２ａはジャック端子６２と電気的に接続されている。可動部１２０ａは、可動接点１２１ａ、可動板部１２２ａ、スナップアクションバネ１２３ａ、端子部１２４ａを有しており、端子部１２４ａは、不図示の電源ケーブルの例えばマイナス側に接続されている。固定部１１０ａと可動部１２０ａからなるスイッチでは、固定接点１１１ａと可動接点１２１ａとが接触することによりオン状態となり、固定接点１１１ａと可動接点１２１ａとの接触が離れることによりオフ状態となる。
【００３０】
固定部１１０ｂは、固定接点１１１ｂと接続部１１２ｂとを有しており、接続部１１２ｂはジャック端子６３と電気的に接続されている。可動部１２０ｂは、可動接点１２１ｂ、可動板部１２２ｂ、スナップアクションバネ１２３ｂ、端子部を有しており、端子部は、不図示の電源ケーブルの例えばプラス側に接続されている。固定部１１０ｂと可動部１２０ｂからなるスイッチでは、固定接点１１１ｂと可動接点１２１ｂとが接触することによりオン状態となり、固定接点１１１ａと可動接点１２１ａとの接触が離れることによりオフ状態となる。
【００３１】
より詳細に説明すると、オン状態は、押下機構部１３０により可動部１２０ａ及び１２０ｂにおけるスナップアクションバネ１２３ａ及び１２３ｂの一部が押されることにより、可動接点１２１ａ及び１２１ｂが固定接点１１１ａ及び１１１ｂ側に移動し、可動接点１２１ａと固定接点１１１ａとが接触し、可動接点１２１ｂと固定接点１１１ｂとが接触する。これによりオン状態となる。
【００３２】
押下機構部１３０は略コの字状に形成されており、スナップアクションバネ１２３ａ及び１２３ｂの一部を押下する接触部１３１ａ及び１３１ｂと本体部１３２とを有している。接触部１３１ａと接触部１３１ｂとは本体部１３２により接続されており、本体部１３２の中央部分には押下接触部１３３が設けられている。尚、接触部１３１ａ及び１３１ｂは、スナップアクションバネ１２３ａ及び１２３ｂの一部を略同時に押下することができるように形成されている。
【００３３】
図１３に示すように、波型スイッチ操作部４０をオン状態となるように押下すると、リンク１４０を介し、押下部１４１は押下機構部１３０における押下接触部１３３を押下し、押下機構部１３０はスナップアクションバネ１２３ａ及び１２３ｂが存在している下方向に移動する。これによりスナップアクションバネ１２３ａ及び１２３ｂの一部は、押下機構部１３０に設けられた接触部１３１ａ及び１３１ｂにより押され、固定接点１１１ａと可動接点１２１ａとが接触し、固定接点１１１ｂと可動接点１２１ｂとが接触し、オン状態となる。
【００３４】
図１２に示すように、波型スイッチ操作部４０をオフ状態にすると、押下機構部１３０を押下していた押下部１４１は上方向に移動し、押下機構部１３０はバネ１３４の復帰力により、押下機構部１３０は上方向に持ち上げられ、スナップアクションバネ１２３ａ及び１２３ｂの一部を押していた接触部１３１ａ及び１３１ｂもスナップアクションバネ１２３ａ及び１２３ｂから離れ、固定接点１１１ａから可動接点１２１ａが離れ、固定接点１１１ｂから可動接点１２１ｂが離れオフ状態となる。
【００３５】
即ち、本実施の形態におけるコネクタでは、波型スイッチ操作部４０の操作方向と、接触部１３１ａ及び１３１ｂがスナップアクションバネ１２３ａ及び１２３ｂを押す方向とは略平行であり、更には、可動接点１２１ａ及び１２１ｂが固定接点１１１ａ及び１１１ｂと接触するために移動する移動方向と略平行である。これにより、波型スイッチ操作部４０をオンにする操作は直接的に接触部１３１ａ及び１３１ｂに伝達されるため、強い力でスナップアクションバネ１２３ａ及び１２３ｂを押すことができる。スナップアクションバネ１２３ａ及び１２３ｂを強い力で押すことにより、スナップアクションバネ１２３ａ及び１２３ｂが変形し強い復元力が生じ、波型スイッチ操作部４０をオフにすることにより、強い力で高速に固定接点１１１ａから可動接点１２１ａを離すことができ、同様に、固定接点１１１ｂから可動接点１２１ｂを離すことができる。
【００３６】
（スナップアクションバネ）
図１４から図１６に基づきスナップアクションバネ１２３ａについて説明する。スナップアクションバネ１２３ａは、バネ本体部１２５ａと曲げ部１２６ａを有しており、曲げ部１２６ａの先端の曲げ部端部１２７ａは可動部設置部１２８ａのＶ字状に形成された設置部端部１２９ａに接触している。図１５に示すように、波型スイッチ操作部４０のオンにする操作を行なうことにより、スナップアクションバネ１２３ａに力が加わり、スナップアクションバネ１２３ａのバネ本体部１２５ａが曲がり固定接点１１１ａと可動接点１２１ａとが接触する。この状態においては、曲げ部１２６ａが変形し曲げ部１２６ａが縮む方向に力が加えられた状態となっている。この後、波型スイッチ操作部４０のオフにする操作を行なうことにより、スナップアクションバネ１２３ａに加えられていた外力がなくなり、曲げ部１２６ａにおける復元力、即ち、曲げ部１２６ａが図１４に示す状態に戻ろうとする力が働き、強い力で固定接点１１１ａと可動接点１２１ａとの接触を離すことができる。これにより、固定接点１１１ａと可動接点１２１ａとの間で発生するアークを早期に断ち切ることができる。即ち、固定接点１１１ａと可動接点１２１ａとの間において、アークが発生する時間を短くすることができるため、固定接点１１１ａ及び可動接点１２１ａを構成している材料がアークにより摩耗することを減らすことができ、コネクタを長寿命化させることができ、更には、信頼性を高めることができる。尚、上記においては、スナップアクションバネ１２３ａについて説明したが、スナップアクションバネ１２３ｂについても同様である。
【００３７】
次に、本実施の形態におけるコネクタの波型スイッチ操作部４０について説明する。本実施の形態におけるコネクタとプラグコネクタ２００とが嵌合している状態において、波型スイッチ操作部４０がオフ状態では、図１７から図１９に示されるように、本実施の形態におけるコネクタのジャック端子６２とプラグコネクタ２００におけるプラグ端子２２２とが嵌合し、本実施の形態におけるコネクタのジャック端子６３とプラグコネクタ２００におけるプラグ端子２２３とが嵌合しているが、前述のとおり、押下部１４１により押下機構部１３０が押下されていないため、固定接点１１１ａと可動接点１２１ａは接触しておらず、また、固定接点１１１ｂと可動接点１２１ｂは接触していない。よって、プラグコネクタ２００側に電力が供給されることはない。尚、図１７はオフ状態における本実施の形態におけるコネクタとプラグコネクタ２００との外観図であり、図１８は、ジャック端子６１が存在している領域の断面図であり、図１９は、ジャック端子６３が存在している領域の断面図である。
【００３８】
一方、図２０から図２２に示されるように、波型スイッチ操作部４０をオン状態とすることにより、前述のとおり、押下部１４１は押下機構部１３０を押下し、固定接点１１１ａと可動接点１２１ａとが接触し、また、固定接点１１１ｂと可動接点１２１ｂとが接触し、プラグコネクタ２００側に電力が供給される。尚、図２０はオン状態における本実施の形態におけるコネクタとプラグコネクタ２００との外観の斜視図であり、図２１は、ジャック端子６１が存在している領域の断面図であり、図２２は、ジャック端子６３が存在している領域の断面図である。
【００３９】
このようなオン、オフ動作は波型スイッチ操作部４０を操作することにより行なわれる。即ち、図２３及び図２４に示すオフ状態から図２５及び図２６に示すオン状態にすることにより、押下部１４１は押下機構部１３０を押下し、押下された押下機構部１３０により、スナップアクションバネ１２３ａ及び１２３ｂに力が加わり、固定接点１１１ａと可動接点１２１ａとが接触し、また、固定接点１１１ｂと可動接点１２１ｂとが接触する。また、図２５及び図２６に示すオン状態から図２３及び図２４に示すオフ状態とする場合には、アークが発生している時間をできるだけ少なくするため、可能な限り速くオフ状態となることが好ましい。このため、図２７に示すように、波型スイッチ操作部４０内には、波型スイッチ操作部４０の回転軸が略中心となるように巻かれたトーションバネ４１が設けられており、このトーションバネ４１には、図２５及び図２６に示すオン状態において、図２３及び図２４に示すオフ状態となるような復元力が加えられている。尚、図２３はオフ状態における本実施の形態におけるスイッチの内部構造の一部を示す正面図であり、図２４は背面図である。また、図２５はオン状態における本実施の形態におけるスイッチの内部構造の一部を示す正面図であり、図２６は背面図である。
【００４０】
尚、波型スイッチ操作部４０におけるオン、オフ動作は、プラグコネクタ２００が本実施の形態におけるコネクタに差込まれた状態（嵌合されている状態）において行なうことが可能である。よって、本実施の形態におけるコネクタにプラグコネクタ２００が差込まれていない状態では、オン状態にすることができず、オフ状態が保たれ、ジャック端子６２及び６３には電力は供給されない。
【００４１】
〔第２の実施の形態〕
次に、第２の実施の形態について説明する。本実施の形態は、第１の実施の形態におけるコネクタと同様に、プラグコネクタ２００と接続されるものである。
【００４２】
（コネクタの構造）
図２８から図３０に基づき本実施の形態におけるコネクタについて説明する。本実施の形態におけるコネクタは、プッシュロックスイッチを有しており、本実施の形態におけるコネクタとプラグコネクタ２００とが嵌合されて接続された状態で、プッシュロックスイッチをオン状態とすることにより、本実施の形態におけるコネクタ及びプラグコネクタ２００を介し電力を供給することができるものである。尚、図２８は、本実施の形態におけるコネクタの斜視図であり、図２９は正面図であり、図３０は側面図である。
【００４３】
本実施の形態におけるコネクタは、全体が筐体１７０に覆われており、プラグコネクタ２００におけるプラグ端子２２１、２２２、２２３が挿入されるジャック開口部２１、２２、２３と、プラグコネクタ２００における保護部２１１が挿入される溝部３１と、プラグコネクタ２００と本実施の形態におけるコネクタとが接続されている状態で、電力を供給するか否かの制御を行なうためのプッシュスイッチ操作部１６０が設けられている。プッシュスイッチ操作部１６０は、プッシュロックスイッチの操作を行なうものであり、プッシュスイッチ操作部１６０を押下することにより、オン状態またはオフ状態とすることができ、このプッシュスイッチ操作部１６０における操作により、コネクタを介し電力を供給するか否かの制御を行なうことができる。尚、本実施の形態において、プッシュロックスイッチとは、プッシュスイッチ操作部１６０を押下することにより、オフ状態からオン状態に切換えることができ、押下する力が解除されたのにおいてもオン状態が維持されるものを含むものであり、オン状態からオフ状態にするために、再度プッシュスイッチ操作部１６０を押下するものを含むものである。
【００４４】
プッシュスイッチ操作部１６０は、プラグコネクタ２００が接続される面と同じ面に設置されており、プラグコネクタ２００が差込まれる方向と、プッシュスイッチ操作部１６０の操作方向、即ち、プッシュスイッチ操作部１６０を押下する方向とは略同一方向である。これにより、プッシュスイッチ操作部１６０をオフにする操作とプラグコネクタ２００を抜き取る操作とを迅速に、かつ、容易に行なうことができる。
【００４５】
また、本実施の形態におけるコネクタは、図３１から図３３に示すように、ジャック開口部２１、２２、２３の内部には、プラグ端子２２１、２２２、２２３と電気的に接続されるジャック端子６１、６２、６３が設けられている。また、プッシュスイッチ操作部１６０に連動して動作するフック７０が設けられており、プッシュスイッチ操作部１６０がオン状態となる場合には、フック７０は溝部３１側に出っ張り、プラグコネクタ２００におけるコネクタ接続開口部２１２内に入り込む。これにより、オン状態では、本実施の形態におけるコネクタとプラグコネクタ２００との接続がはずれることはない。また、プッシュスイッチ操作部１６０をオフ状態とした場合には、フック７０の先端は、プッシュスイッチ操作部１６０側に引っ込み、プラグコネクタ２００におけるコネクタ接続開口部２１２内にはフック７０は存在していなくなるため、本実施の形態におけるコネクタよりプラグコネクタ２００を取り外すことができる。このように、本実施の形態におけるコネクタでは、電力が供給されている状態においては、本実施の形態におけるコネクタからプラグコネクタ２００が誤ってはずれてしまうことを防ぐことができる。
【００４６】
また、本実施の形態におけるコネクタには、ディテクトスイッチとなる突起部７１が設けられている。この突起部７１は、本実施の形態におけるコネクタとプラグコネクタ２００とが接続されているか否か、即ち、本実施の形態におけるコネクタとプラグコネクタ２００とが嵌合している状態にあるのか否かを検出する。
【００４７】
本実施の形態におけるコネクタとプラグコネクタ２００とが嵌合していない状態では、突起部７１は、溝部３１内に一部入り込んだ状態となっている。この状態では、プッシュスイッチ操作部１６０はオフ状態で固定されるためオン状態となることはない。一方、プラグコネクタ２００と本実施の形態におけるコネクタとが嵌合することにより、溝部３１内にプラグコネクタ２００の保護部２１１が入り込み、保護部２１１により溝部３１内に一部が入り込んでいた突起部７１がプッシュスイッチ操作部１６０側に押されて移動する。このように突起部７１が押されることにより、プッシュスイッチ操作部１６０におけるオフ状態の固定が解除され、プッシュスイッチ操作部１６０をオン状態にすることが可能となる。
【００４８】
この後、プッシュスイッチ操作部１６０をオフ状態とすることにより、本実施の形態におけるコネクタよりプラグコネクタ２００を取り外すことができ、プラグコネクタ２００を取り外すことにより、突起部７１はバネ７２の復元力により、溝部３１の内部に再び一部が入り込む。これにより、プッシュスイッチ操作部１６０はオフ状態で固定されるためオン状態となることはない。
【００４９】
このように、本実施の形態におけるコネクタとプラグコネクタ２００とが接続されている場合には、プッシュスイッチ操作部１６０を押下することによりオン状態とすることはできるが、本実施の形態におけるコネクタとプラグコネクタ２００とが接続されていない場合には、プッシュスイッチ操作部１６０におけるオフ状態が維持されるため、いくらプッシュスイッチ操作部１６０を押下してもオン状態となることはない。
【００５０】
（オン、オフ動作）
次に、図３４及び図３５に基づき、本実施の形態におけるコネクタのオン、オフ動作について説明する。本実施の形態におけるコネクタは、２つの固定部１１０ａ及び１１０ｂと２つの可動部１２０ａ及び１２０ｂとを有している。固定部１１０ａと可動部１２０ａにより一つのスイッチを構成しており、固定部１１０ｂと可動部１２０ｂにより一つのスイッチを構成している。よって、本実施の形態におけるコネクタでは、あわせて二つのスイッチを有している。
【００５１】
固定部１１０ａは、固定接点１１１ａと接続部１１２ａとを有しており、接続部１１２ａはジャック端子６２と電気的に接続されている。可動部１２０ａは、可動接点１２１ａ、可動板部１２２ａ、スナップアクションバネ１２３ａ、端子部１２４ａを有しており、端子部１２４ａは、不図示の電源ケーブルの例えばマイナス側に接続されている。固定部１１０ａと可動部１２０ａからなるスイッチでは、固定接点１１１ａと可動接点１２１ａとが接触することによりオン状態となり、固定接点１１１ａと可動接点１２１ａとの接触が離れることによりオフ状態となる。
【００５２】
固定部１１０ｂは、固定接点１１１ｂと接続部１１２ｂとを有しており、接続部１１２ｂはジャック端子６３と電気的に接続されている。可動部１２０ｂは、可動接点１２１ｂ、可動板部１２２ｂ、スナップアクションバネ１２３ｂ、端子部を有しており、端子部は、不図示の電源ケーブルの例えばプラス側に接続されている。固定部１１０ｂと可動部１２０ｂからなるスイッチでは、固定接点１１１ｂと可動接点１２１ｂとが接触することによりオン状態となり、固定接点１１１ｂと可動接点１２１ｂとの接触が離れることによりオフ状態となる。
【００５３】
即ち、本実施の形態におけるコネクタでは、プッシュスイッチ操作部１６０の操作方向と、接触部１３１ａ等がスナップアクションバネ１２３ａ及び１２３ｂを押す方向とは略平行であり、更には、可動接点１２１ａ及び１２１ｂが固定接点１１１ａ及び１１１ｂと接触するために移動する移動方向と略平行である。これにより、プッシュスイッチ操作部１６０をオンにする操作が直接的に接触部１３１ａ等に伝達されるため、強い力でスナップアクションバネ１２３ａ及び１２３ｂを押すことができる。スナップアクションバネ１２３ａ及び１２３ｂを強い力で押すことにより、スナップアクションバネ１２３ａ及び１２３ｂは変形し強い復元力が生じ、プッシュスイッチ操作部１６０をオフにする際に、強い力で高速に固定接点１１１ａから可動接点１２１ａを離すことができ、同様に、固定接点１１１ｂから可動接点１２１ｂを離すことができる。
【００５４】
より詳細に説明すると、オン状態は、押下機構部１３０により可動部１２０ａ及び１２０ｂにおけるスナップアクションバネ１２３ａ及び１２３ｂの一部が押されることにより、可動接点１２１ａ及び１２１ｂが固定接点１１１ａ及び１１１ｂ側に移動し、可動接点１２１ａと固定接点１１１ａとが接触し、可動接点１２１ｂと固定接点１１１ｂとが接触する。これによりオン状態となる。
【００５５】
押下機構部１３０は略コの字状に形成されており、スナップアクションバネ１２３ａ及び１２３ｂの一部を押下する接触部１３１ａ等と本体部１３２とを有している。接触部１３１ａ等は本体部１３２により接続されており、本体部１３２の中央部分には突起部１３６が設けられている。尚、接触部１３１ａ等は、スナップアクションバネ１２３ａ及び１２３ｂの一部を略同時に押下することができるように形成されている。
【００５６】
図３５に示すように、プッシュスイッチ操作部１６０をオン状態となるように押下すると、突起部１３６を介し押下機構部１３０を押下し、押下機構部１３０はスナップアクションバネ１２３ａ及び１２３ｂが存在している下方向に移動する。これによりスナップアクションバネ１２３ａ及び１２３ｂの一部は、押下機構部１３０に設けられた接触部１３１ａ等により押され、固定接点１１１ａと可動接点１２１ａとが接触し、固定接点１１１ｂと可動接点１２１ｂとが接触し、オン状態となる。
【００５７】
図３４に示すように、プッシュスイッチ操作部１６０をオフ状態にすると、押下機構部１３０は上方向に移動し、押下機構部１３０はバネ１３４の復帰力により、押下機構部１３０は上方向に持ち上げられ、スナップアクションバネ１２３ａ及び１２３ｂの一部を押していた接触部１３１ａ等もスナップアクションバネ１２３ａ及び１２３ｂから離れ、固定接点１１１ａから可動接点１２１ａが離れ、固定接点１１１ｂから可動接点１２１ｂが離れオフ状態となる。
【００５８】
次に、本実施の形態におけるコネクタのプッシュスイッチ操作部１６０について説明する。本実施の形態におけるコネクタとプラグコネクタ２００とが嵌合状態において、プッシュスイッチ操作部１６０がオフ状態では、図３６及び図３７に示されるように、本実施の形態におけるコネクタのジャック端子６２とプラグコネクタ２００におけるプラグ端子２２２とが嵌合し、本実施の形態におけるコネクタのジャック端子６３とプラグコネクタ２００におけるプラグ端子２２３とが嵌合しているが、突起部１３６を介して押下機構部１３０は押下されていないため、固定接点１１１ａと可動接点１２１ａは接触しておらず、また、固定接点１１１ｂと可動接点１２１ｂは接触していない。よって、プラグコネクタ２００側に電力が供給されることはない。尚、この状態においては、本実施の形態におけるコネクタのジャック端子６１とプラグコネクタ２００におけるプラグ端子２２１とは嵌合している。尚、図３６は、ジャック端子６１が存在している領域の断面図であり、図３７は要部側面図である。
【００５９】
一方、図３８及び図３９に示されるように、プッシュスイッチ操作部１６０をオン状態とすることにより、突起部１３６を介し押下機構部１３０を押下し、固定接点１１１ａと可動接点１２１ａとが接触し、また、固定接点１１１ｂと可動接点１２１ｂとが接触し、プラグコネクタ２００側に電力が供給される。オン状態は、プッシュスイッチ操作部１６０の内部にスイッチロック部１６１が入り込むことにより、スイッチロック部１６１に設けられた爪部１６２により押下機構部１３０の位置が固定されオン状態が維持される。尚、後述するように、再びプッシュスイッチ操作部１６０を押下することにより、オン状態からオフ状態にすることができる。尚、図３８は、ジャック端子６１が存在している領域の断面図であり、図３９は要部側面図である。
【００６０】
このようなオン、オフ動作はプッシュスイッチ操作部１６０を操作することにより行なわれる。即ち、図４０から図４２に示すオフ状態から図４３から図４５に示すオン状態にすることにより、突起部１３６は押下機構部１３０を押下し、押下された押下機構部１３０により、スナップアクションバネ１２３ａ及び１２３ｂに力が加わり、固定接点１１１ａと可動接点１２１ａとが接触し、また、固定接点１１１ｂと可動接点１２１ｂとが接触する。この際、プッシュスイッチ操作部１６０の内部にスイッチロック部１６１が入り込み、押下機構部１３０がスイッチロック部１６１に設けられた爪部１６２に引っ掛かった状態となりオン状態が維持される。スイッチロック部１６１には、プッシュスイッチ操作部１６０の内部と接触する部分に傾斜部１６３が設けられており、プッシュスイッチ操作部１６０が押されることにより、スイッチロック部１６１は、傾斜部１６３に沿って、プッシュスイッチ操作部１６０の内部には入り込み、爪部１６２により押下機構部１３０の位置を固定する。
【００６１】
オン状態において再び、プッシュスイッチ操作部１６０を押下することにより、バネ１６４の復元力により、プッシュスイッチ操作部１６０の内部より、スイッチロック部１６１が傾斜部１６３に沿って外側に移動し、押下機構部１３０の位置を固定していた爪部１６２も移動するため、押下機構部１３０は上昇しオフ状態とすることができる。尚、図４０はオフ状態における本実施の形態におけるスイッチの内部構造の一部を示す斜視図であり、図４１は側面図であり、図４２は断面図である。また、図４３はオン状態における本実施の形態におけるスイッチの内部構造の一部を示す斜視図であり、図４４は側面図であり、図４５は断面図である。
【００６２】
尚、プッシュスイッチ操作部１６０におけるオン、オフ動作は、プラグコネクタ２００が本実施の形態におけるコネクタに差込まれた状態（嵌合されている状態）において行なうことが可能である。よって、本実施の形態におけるコネクタにプラグコネクタ２００が差込まれていない状態では、オン状態にすることができず、オフ状態が保たれ、ジャック端子６２及び６３には電力は供給されない。
【００６３】
尚、上記以外の内容については、第１の実施の形態と同様である。
【００６４】
以上、本発明の実施に係る形態について説明したが、上記内容は、発明の内容を限定するものではない。
【符号の説明】
【００６５】
２１        ジャック開口部
２２        ジャック開口部
２３        ジャック開口部
３１        溝部
４０        波型スイッチ操作部
４１        トーションバネ
５０        筐体
６１        ジャック端子
６２        ジャック端子
６３        ジャック端子
７０        フック
７１        突起部
７２        バネ
１１０ａ、１１０ｂ    固定部
１１１ａ、１１１ｂ    固定接点
１１２ａ、１１２ｂ    接続部
１２０ａ、１２０ｂ    可動部
１２１ａ、１２１ｂ    可動接点
１２２ａ、１２２ｂ    可動板部
１２３ａ、１２３ｂ    スナップアクションバネ
１２５ａ    バネ本体部
１２６ａ    曲げ部
１２７ａ    曲げ部端部
１２８ａ    可動部設置部
１２９ａ    設置部端部
１３０      押下機構部
１３１ａ、１３１ｂ    接触部
１３２      本体部
１３３      押下接触部
１３４      バネ
１４０      リンク
１４１      押下部
２００      プラグコネクタ
２１０      カバー
２１１      保護部
２１２      コネクタ接続開口部
２２１      プラグ端子
２２２      プラグ端子
２２３      プラグ端子
２３０      電源ケーブル
【図１】
0005838057.tif 000002
【図２】
0005838057.tif 000003
【図３】
0005838057.tif 000004
【図４】
0005838057.tif 000005
【図５】
0005838057.tif 000006
【図６】
0005838057.tif 000007
【図７】
0005838057.tif 000008
【図８】
0005838057.tif 000009
【図９】
0005838057.tif 000010
【図１０】
0005838057.tif 000011
【図１１】
0005838057.tif 000012
【図１２】
0005838057.tif 000013
【図１３】
0005838057.tif 000014
【図１４】
0005838057.tif 000015
【図１５】
0005838057.tif 000016
【図１６】
0005838057.tif 000017
【図１７】
0005838057.tif 000018
【図１８】
0005838057.tif 000019
【図１９】
0005838057.tif 000020
【図２０】
0005838057.tif 000021
【図２１】
0005838057.tif 000022
【図２２】
0005838057.tif 000023
【図２３】
0005838057.tif 000024
【図２４】
0005838057.tif 000025
【図２５】
0005838057.tif 000026
【図２６】
0005838057.tif 000027
【図２７】
0005838057.tif 000028
【図２８】
0005838057.tif 000029
【図２９】
0005838057.tif 000030
【図３０】
0005838057.tif 000031
【図３１】
0005838057.tif 000032
【図３２】
0005838057.tif 000033
【図３３】
0005838057.tif 000034
【図３４】
0005838057.tif 000035
【図３５】
0005838057.tif 000036
【図３６】
0005838057.tif 000037
【図３７】
0005838057.tif 000038
【図３８】
0005838057.tif 000039
【図３９】
0005838057.tif 000040
【図４０】
0005838057.tif 000041
【図４１】
0005838057.tif 000042
【図４２】
0005838057.tif 000043
【図４３】
0005838057.tif 000044
【図４４】
0005838057.tif 000045
【図４５】
0005838057.tif 000046